(57)【要約】      （修正有）【課題】赤外線センサの自己診断を行っても失報しない警備システムを提供する。【解決手段】受動型の赤外線センサ１１は、人が発する赤外線を検知し、赤外線の検知を示す検知信号を出力する。モード設定部２４は、警備開始モード及び警備解除モードのうちの１つを設定される。イベント検知部２２は、検知信号に基づき、イベントを検知し、イベントの検知を示すイベント検知信号を出力する。故障検出部２５は、モード設定部２４が警備解除モードを設定される場合の所定期間内において、イベント検知部２２がイベント検知信号を出力しないと、赤外線センサ１１の故障を示す故障検知信号を出力する。【選択図】図１
2019125059.tif 000002
【特許請求の範囲】
【請求項１】
警備対象領域に人が存在する場合、前記人が発する赤外線を検知し、前記赤外線の検知を示す検知信号を出力する受動型の赤外線センサと、
警備開始モード及び警備解除モードのうちの１つを、設定されるモード設定部と、
前記検知信号に基づき、イベントを検知し、前記イベントの検知を示すイベント検知信号を出力するイベント検知部と、
前記モード設定部が前記警備解除モードを設定される場合の所定期間において、前記イベント検知部が前記イベント検知信号を出力しないと、前記赤外線センサの故障を示す故障検知信号を出力する故障検知部と、
を備えることを特徴とする警備システム。
【請求項２】
前記故障検知部は、前記モード設定部が前記警備開始モードを設定されると、動作を停止し、前記モード設定部が前記警備解除モードを設定されると、動作を開始する
ことを特徴とする請求項１に記載の警備システム。
【請求項３】
前記故障検知部は、前記モード設定部が前記警備解除モードを設定されるとことにより、セットされ、カウントを初めから開始し、前記イベント検知信号により、リセットされ、前記カウントを初めから開始し、前記カウントによるカウント値が前記所定期間を示す値に達することにより、前記故障検知信号を出力するカウンタを、備える
ことを特徴とする請求項２に記載の警備システム。
【請求項４】
前記モード設定部が前記警備開始モードを設定される場合、前記イベント検知部が前記イベント検知信号を出力すると、前記イベント検知信号を選択して出力し、前記モード設定部が前記警備解除モードを設定される場合、前記故障検知部が前記故障検知信号を出力すると、前記故障検知信号を選択して出力する選択部、
をさらに備えることを特徴とする請求項１または３に記載の警備システム。
【請求項５】
前記赤外線センサと通信する警備装置をさらに備え、
前記警備装置が、前記モード設定部、前記イベント検知部、前記故障検知部、及び、前記選択部を備える
ことを特徴とする請求項４に記載の警備システム。
【請求項６】
前記イベント検知部は、前記警備対象領域に前記人が存在することを示す前記イベントを検知する
ことを特徴とする請求項５に記載の警備システム。
【請求項７】
前記赤外線センサと通信する警備装置をさらに備え、
前記赤外線センサが、前記イベント検知部、前記故障検知部、及び前記選択部を備え、前記警備装置が、前記モード設定部を備える
ことを特徴とする請求項４に記載の警備システム。
【請求項８】
前記イベント検知部は、複数の閾値を備え、前記検知信号と前記複数の閾値とを比較することにより、前記警備対象領域に前記人が存在すること、前記赤外線センサのノイズが増加すること、または、前記赤外線センサの筐体がマスクされることを示す前記イベントを検知する
ことを特徴とする請求項７に記載の警備システム。
【発明の詳細な説明】
【技術分野】
【０００１】
本発明は、受動型の赤外線センサを用いて、警備対象領域の監視・警備を行う警備システムに関する。
【背景技術】
【０００２】
電子機器を利用した監視警備業務の分野では、電子技術の高性能化や使用機器の小型化に伴い、受動型の赤外線センサを用いた警備システムが広く採用されている。この警備システムは、人が発する赤外線を受動型の赤外線センサを利用して感知し、警備対象領域における赤外線の変化を検出して、警備対象領域内への人の侵入を検知する。
【０００３】
したがって、このような警備システムでは、赤外線センサの前に障害物が置かれた場合や、赤外線センサの筐体に覆いが被せられた場合は、警備対象領域への侵入者が的確に検知されない。また、赤外線センサの機器自体が故障した場合も、赤外線の変化が検知されないので、侵入者が検知されない。
【０００４】
このような事態を防止すべく、特許文献１に示すような先行技術が開示されている。同文献に示された警備システムは、予め定められた時刻毎に、または、侵入者が所定の時間以上検出されないときに、システムの動作状態を自動的に警備モードから自己診断モードに切り替えて、赤外線センサが正常に動作しているかの自己診断を行う。
【０００５】
係る自己診断の方法は、赤外線センサの筐体を機械的に振動させ、赤外線センサに入力する赤外線を強制的に変化させて、その変化を検知することにより、赤外線センサに覆いが被せられた場合や、赤外線センサの機器自体の故障を検出する。
【０００６】
【特許文献１】特開２００３−２１４９４８号公報
【発明の開示】
【発明が解決しようとする課題】
【０００７】
しかしながら、係る特許文献に開示された技術では、警備モードが自己診断モードに切り替わると、警備モードが解除されて警備動作が中断されるため、自己診断モード中に警備対象領域への人の侵入があっても、警報が出ないので、失報の危険性がある。
【０００８】
本発明は、上記課題に鑑みてなされ、赤外線センサの自己診断を行っても失報しない警備システムを提供する。
【課題を解決するための手段】
【０００９】
本発明の第１の観点による警備システムは、上記の課題を解決するために、警備対象領域に人が存在する場合、前記人が発する赤外線を検知し、前記赤外線の検知を示す検知信号を出力する受動型の赤外線センサと、警備開始モード及び警備解除モードのうちの１つを設定されるモード設定部と、前記検知信号に基づき、イベントを検知し、前記イベントの検知を示すイベント検知信号を出力するイベント検知部と、前記モード設定部が前記警備解除モードを設定される場合の所定期間において、前記イベント検知部が前記イベント検知信号を出力しないと、前記赤外線センサの故障を示す故障検知信号を出力する故障検知部と、を備えることを特徴とする。
【００１０】
また、本発明の第２の観点による警備システムは、上記第１の観点において、前記故障検知部は、前記モード設定部が前記警備開始モードを設定されると、動作を停止し、前記モード設定部が前記警備解除モードを設定されると、動作を開始することを特徴とする。
【００１１】
また、本発明の第３の観点による警備システムは、上記第２の観点において、前記故障検知部は、前記モード設定部が前記警備解除モードを設定されることにより、セットされ、カウントを初めから開始し、前記イベント検知信号により、リセットされ、前記カウントを初めから開始し、前記カウントによるカウント値が前記所定期間を示す値に達すると、前記故障検知信号を出力するカウンタを、備えることを特徴とする。
【００１２】
また、本発明の第４の観点による警備システムは、上記第１または第３の観点において、前記モード設定部が前記警備開始モードを設定される場合、前記イベント検知部が前記イベント検知信号を出力すると、前記イベント検知信号を選択して出力し、前記モード設定部が前記警備解除モードを設定される場合、前記故障検知部が前記故障検知信号を出力すると、前記故障検知信号を選択して出力する選択部、をさらに備えることを特徴とする。
【００１３】
また、本発明の第５の観点による警備システムは、上記第４の観点において、前記赤外線センサと通信する警備装置をさらに備え、前記警備装置が前記モード設定部、前記イベント検知部、前記故障検知部、及び前記選択部を備えることを特徴とする。
【００１４】
また、本発明の第６の観点による警備システムは、上記第５の観点において、前記イベント検知部は、前記警備対象領域に前記人が存在することを示す前記イベントを検知することを特徴とする。
【００１５】
また、本発明の第７の観点による警備システムは、上記第４の観点において、前記赤外線センサと通信する警備装置をさらに備え、前記赤外線センサが、前記イベント検知部、前記故障検知部、及び前記選択部を備え、前記警備装置が、前記モード設定部を備えることを特徴とする。
【００１６】
また、本発明の第８の観点による警備システムは、上記第７の観点において、前記イベント検知部は複数の閾値を備え、前記検知信号と前記複数の閾値とを比較することにより、前記警備対象領域に前記人が存在すること、前記赤外線センサのノイズが増加すること、または、前記赤外線センサの筐体がマスクされることを示す前記イベントを検知することを特徴とする。
【発明の効果】
【００１７】
本発明によれば、赤外線センサの自己診断が行われることによる失報は無くなる。
【発明を実施するための最良の形態】
【００１８】
以下、本発明の複数の実施例について、図面を参照して説明する。
【００１９】
［１］実施例１
図１は、実施例１の警備システムの要部ブロック図である。実施例１の警備システムは、受動型の赤外線センサ１１〜１４、これらの赤外線センサと通信する警備装置２０、警備装置２０を遠隔操作できる第二操作部３０、及び、警備装置２０とインターネットや公衆通信網などを介して通信する外部警備装置４０を備えている。
【００２０】
警備装置２０は、主に、検知信号受付部２１、イベント検知部２２、第一操作部２３、モード設定部２４、故障検知部２５、選択部２６、通報部２７、及び、表示部２８を備えている。なお、警備装置２０は、電源回路や、各種通信のためのインターフェイス回路などを備えているが、これらの回路は、本発明の骨子に関連しないため省略する。
【００２１】
赤外線センサ１１〜１４は、警備対象の建物の内部において所定の部屋の天井または天井付近の所定場所に設置される。また、警備装置２０は、建物内の警備室などに設置され、外部警備装置４０は、警備対象の建物外部の設備、例えば、警備会社の警備センタに設置される。ここで、赤外線センサ１１〜１４によって警備対象領域の監視・警備が行われている状態を「警備開始モード」と称し、警備対象領域の監視・警備が解除されている状態を「警備解除モード」と称する。
【００２２】
なお、実施例１の赤外線センサの数は、図１の事例に限定されず、実際の実施態様に応じて任意の数を取り得る。また、以下の説明では、説明の簡略化を図るため、赤外線センサ１１にのみ着目する。
【００２３】
赤外線センサ１１は、強誘電体セラミックス素子などの検知素子を利用する受動型の赤外線センサであり、警備対象領域内に人が存在する場合、人が発する赤外線を検知して、人からの赤外線の検知を示す検知信号を警備装置２０に出力する。警備装置２０において、検知信号受付部２１は、赤外線センサ１１と警備装置２０とのインターフェイスを行う部位であり、赤外線センサ１１からの検知信号を受け付ける。
【００２４】
イベント検知部２２は、係る検知信号に基づき、赤外線センサ１１及び警備対象領域の状況変化（以下、「イベント」と称する。）を検知して、このようなイベントの検知を表す４桁の数字コードのイベント検知信号を後続の部位に出力する。
【００２５】
すなわち、赤外線センサ１１に、図３（Ｅ）に示すように、警備対象領域に人が存在することを検知するため、アナログ信号の検知信号に対する閾値Ｖｔ３が予め設定されている。赤外線センサ１１が赤外線を検知し、検知信号の波高値が閾値Ｖｔ３よりも高い場合、図３（Ａ）に示すように、赤外線センサ１１はＯＮ／ＯＦＦのデジタル信号を検知信号として警備装置２０に出力する。
【００２６】
なお、デジタル信号を赤外線センサ１１が警備装置２０に出力する場合、赤外線センサ１１と警備装置２０との間の絶縁のため、ＯＮ／ＯＦＦの無電圧接点信号が用いられても良いし、フォトカプラによるオープンコレクタ信号が用いられても良い。
【００２７】
イベント検知部２２は、赤外線センサ１１からの検知信号によって、同センサの警備対象領域に人が居るというイベント（以下、「人イベント」と称する。）を検知し、人イベント検知信号を故障検知部２５及び選択部２６に出力する。人イベントを検知した場合の人イベント検知信号は、４桁の数字コード“１１０１”である。この数字コードの上位２桁の“１１”は、赤外線センサ１１のセンサ機器識別番号を表し、下位２桁の“０１”は人イベントの検知を表している。
【００２８】
第一操作部２３は、警備装置２０に設けられている。一方、第二操作部３０は、警備装置２０と別の装置、例えば、建物の玄関に設けられる入退室管理装置（図示せず）に併設される。第一操作部２３及び第二操作部３０の各々から、当該建物の利用者または警備員により、警備開始モード及び警備解除モードのうちの一つのモードが設定される。
【００２９】
モード設定部２４が警備開始モードを設定されると、赤外線センサ１１の警備対象領域において監視・警備が開始し、かつ、故障検知部２５は動作が停止する。警備開始モードでは、選択部２６は、イベント検知部２２からの出力を選択し、イベント検知部２２が前述のイベント検知信号を出力すると、そのイベント検知信号を選択して後続の部位に出力する。
【００３０】
警備開始モード時においては、警備対象領域に人が存在しないことが前提となる。したがって、警備開始モード時に、警備対象領域で人が検知される場合、検知される人は侵入者である可能性が高い。よって、人イベント検知信号が、選択部２６及び通報部２７を介して、外部警備装置４０へ出力する。つまり、通報部２７は、人イベント検知信号に基づき、外部警備装置４０に、警備対象領域への侵入の通報を行う。
【００３１】
一方、モード設定部２４に警備解除モードが設定されていると、赤外線センサ１１の警備対象領域における監視・警備が解除され、かつ、故障検知部２５が動作を開始する。故障検知部２５は、所定の期間内においてイベント検知部２２が人イベント検知信号を出力しない場合は、赤外線センサ１１の故障を検知して、赤外線センサ１１の故障を示す故障検知信号を選択部２６へ出力する。
【００３２】
具体的には、故障検知部２５は、所定周期のパルス列のタイムパルスをカウントするカウンタを内蔵している。このカウンタは、モード設定部２４が警備解除モードに設定されることにより、セットされ、０からカウントを開始し、イベント検知部２２からの人イベント検知信号により、リセットされ、再び０からカウントを開始する。そのカウントによるカウント値が予め設定された閾値（所定の時間長を表す）に達すると、故障検知信号を選択部２６に出力する。
【００３３】
このとき、選択部２６は、故障検知部２５を選択しているので、故障検知部２５からの故障検知信号を選択して通報部２７に出力する。つまり、警備解除モード時においては、通常、警備対象領域に人が存在することが前提となる。したがって、警備解除モード時にも関わらず所定時間に亘って人イベントが検知されない場合、赤外線センサ１１の故障の可能性が考えられる。それ故、通報部２７は、故障検知信号に基づき、外部警備装置４０に、赤外線センサ１１の故障の通報を行う。
【００３４】
ここで、赤外線センサ１１の故障は、赤外線センサ１１における機器本来の動作不全、赤外線センサ１１の筐体が不審者によってマスクされること、または、赤外線センサ１１の前に障害物が置かれることを含む。
【００３５】
このように、通報部２７は、１つのチャンネルを用いて、人イベント検知信号または故障検知信号を区別して外部警備装置４０に出力する。表示部２８は、警備装置２０に設けられ、複数のＬＥＤ（図示せず）を様々な方法で駆動することによって、人イベント検知信号または故障検知信号が識別されるように表示する。
【００３６】
具体的には、通報部２７は、警備開始モード時において、イベント検知部２２が人イベント検知信号を出力した場合は、前述の４桁の数字コード“１１０１”を外部警備装置４０へ通報する。これと同時に、表示部２８は、例えば、赤外線センサ１１に関連するＬＥＤを点灯させる。
【００３７】
また、通報部２７は、警備解除モード時において、所定期間内にイベント検知部２２が人イベント検知信号を出力しなかった場合、４桁の数字コード“１１００”を外部警備装置４０へ通報する。この場合、“１１００”の上位２桁の“１１”が赤外線センサ１１の機器識別番号を表し、下位２桁の“００”が同センサの故障の検知を表している。これと同時に、表示部２８は、例えば、赤外線センサ１１に関連するＬＥＤを点滅させる。
【００３８】
なお、１つの警備対象領域が、１つの赤外線センサ１１を割り当てられず、２つの赤外線センサ１１及び１２を割り当てられても良い。その場合、赤外線センサ１１が検知信号を出力する時とほぼ同時に、または、赤外線センサ１１が検知信号を出力する時から一定時間内にシーケンシャルに、赤外線センサ１２も検知信号を出力する。この場合、イベント検知部２２は、これら２つの検知信号に基づき、当該警備対象領域に人が居ると判断して、人イベントを検知する。
【００３９】
このようなイベント検知部２２における人イベントの検知の判断条件は、赤外線センサ１１に設けられるディップスイッチを含む回路構成（図示せず）によって任意に設定されても良いし、外部警備装置４０からイベント検知部２２のメモリ部（図示せず）へのダウンロードによって設定されても良い。
【００４０】
また、赤外線センサ１１は、機械的スイッチやリードスイッチ等によって構成されるタンパー検知部（図示せず）を備えても良い。タンパーは、不審者（内部犯行者も含む）が電子機器の外装を取り除いたり破壊したりして機能を無効にする行為である。
【００４１】
このタンパー検知部は、上記スイッチのＯＮ／ＯＦＦによって、タンパーを目的とする赤外線センサ１１の筐体に対する除去・破壊行為を検知すると、タンパー検知信号を警備装置２０の検知信号受付部２１を介してイベント検知部２２に出力する。タンパー検知信号は、図３（Ａ）に示すＯＮ／ＯＦＦのデジタル信号であり、タンパー検知信号の出力方式は、検知信号の出力方式と同様である。
【００４２】
イベント検知部２２は、タンパー検知信号を受け付けると、赤外線センサ１１におけるタンパーイベントの発生を検知し、タンパーイベント検知信号として、４桁の数字コード“１１０４”を出力する。“１１０４”の上位２桁の“１１”が赤外線センサ１１の機器識別番号を表し、下位２桁の“０４”が同センサにおけるタンパーイベントの検知を表している。そして、イベント検知部２２は、係るタンパーイベント検知信号を選択部２６へ出力し、選択部２６は、タンパーイベント検知信号を通報部２７に出力する。
また、警備解除モード時において、故障検知部２５は、タンパー検知信号及び故障検知信号の両方に基づき、赤外線センサ１１の筐体へのマスクを検知しても良い。また、不審者が内部犯行者である場合、赤外線センサ１１の筐体は取り外されてマスクされてから元に戻される可能性がある。この場合、故障検知部２５は、タンパー検知信号が出力されてから出力されなくなった後の故障検知信号により、赤外性センサ１１の筐体へのマスクを検知しても良い。
【００４３】
［２］実施例２
次に、実施例２の警備システムについて説明する。図２は実施例２の警備システムの要部ブロック図である。実施例２の警備システムは、主に、赤外線センサ５０、警備装置６０、第二操作部７０、及び、外部警備装置８０を備えている。
【００４４】
赤外線センサ５０は、主に、検知素子及び信号増幅回路を含む赤外線センサ部５１、イベント検知部５２、故障検知部５３、及び、選択部５４を備えている。警備装置６０は、主に、第一操操作部６１、モード設定部６２、通報部６３、及び、表示部６４を備えている。なお、第二操作部７０及び外部警備装置８０は、実施例１における第二操作部３０及び外部警備装置４０と同一であるため、その説明を省略する。
【００４５】
また、赤外線センサ５０に含まれる故障検知部５３の機能、及び、警備装置６０に含まれる第一操作部６１、モード設定部６２、通報部６３、及び、表示部６４の機能は、実施例１の対応する各部位と同様であるため、その動作説明を省略する。
【００４６】
実施例１と実施例２との相違点を中心として、実施例２の警備システムを説明する。先ず、実施例１では、赤外線センサ１１が、警備装置２０に対し、警備対象領域に人が居ることを示す検知信号を出力した。しかし、実施例２では、赤外線センサ５０は、警備装置６０に対し、イベント検知信号または故障検知信号を出力する。一方、警備装置６０は、モード設定部６２に設定されている警備モードを、赤外線センサ５０に対して出力する。
【００４７】
そのため、赤外線センサ５０及び警備装置６０の各々は、イベント検知信号、故障検知信号、及び、警備モードを表す信号の入出力のためのインターフェイス回路（図２で点線部で示されるＩ／Ｆ部）を備えている。なお、Ｉ／Ｆ部間のデータの授受は、パラレルデータで行われても良いし、所定の伝送フォーマットに準拠するシリアルデータで行われても良い。
【００４８】
また、実施例１では、イベント検知部２２で検知されるイベントは、主に赤外線センサ１１の警備対象領域に人が居ることを表す人イベントである。しかし、実施例２のイベント検知部５２で検知されるイベントは、赤外線センサ５０の警備対象領域に人が居ることを表す人イベント、赤外線センサ５０においてホワイトノイズなどのノイズが増加したことを表すノイズイベント、或は、赤外線センサ５０の筐体が不審者などによってマスクされる（覆われる）ことを表す不審者イベントである。
【００４９】
実施例１では、赤外線センサ１１が検知する赤外線に対し、警備対象領域内における人検知のために、図３（Ｅ）に示す前述の閾値Ｖｔ３が設定されている。しかし、実施例２では、赤外線センサ５０のイベント検知部５２には、ノイズイベント検知のため、図３（Ｂ）及び（Ｄ）に示す閾値Ｖｔ１が設定され、また、図３（Ｂ）及び（Ｃ）に示す閾値Ｖｔ２が設定されている。また、人イベント検知のため、実施例１の場合と同様に、図３（Ｅ）に示す閾値Ｖｔ３が設定されている。さらに、前述の不審者イベント検出のため、図３（Ｆ）に示す閾値Ｖｔ４が設定されている。これらの閾値は、Ｖｔ１、Ｖｔ２、Ｖｔ３、及び、Ｖｔ４の順に高くなる。
【００５０】
実施例１では、赤外線センサ１１が出力する人検知信号は、図３（Ａ）に示すＯＮ／ＯＦＦのデジタル信号である。しかしながら、実施例２においては、赤外線センサ部５１がイベント検知部５２に出力する信号は、図３（Ｂ）〜（Ｆ）に示すアナログ信号である。
【００５１】
続いて、図３（Ｂ）〜（Ｆ）の各図について説明する。先ず、図３（Ｂ）は、警備対象領域に人が居ない人の非検知状態における、赤外線センサ部５１の出力を示す。この時、赤外線センサ部５１が出力するアナログ信号の波高値は、環境の温度変化の影響によって変動するので、つまり、ホワイトノイズを含むので、通常、閾値Ｖｔ１とＶｔ２との間にある。このような状態は、人の非検知状態と定義される。また、イベント検知部５２は、赤外線センサ部５１が正常に動作していると判断する。この場合、イベント検知部５２は、人イベントを検知しないので、人イベント検知信号を出力しない。
【００５２】
次に、図３（Ｃ）は、人の非検知状態において、赤外線センサ部５１が出力するアナログ信号の波高値が検知素子の故障や信号増幅回路の故障によって閾値Ｖｔ２よりも高くなる場合を示している。ここで、通常のホワイトノイズは、図中の破線の波高値によって示されている。この場合、赤外線センサ部５１は異常と判定され、イベント検知部５２はノイズイベントを検知して、４桁の数字コード“５００２”のノイズイベント検知信号を警備装置６０に出力する。“５００２”の上位２桁の“５０”は赤外線センサ５０の機器識別番号を表し、下位２桁の“０２”はノイズイベントの検知を表している。
【００５３】
次に、図３（Ｄ）は、人の非検知状態において、赤外線センサ部５１が出力するアナログ信号の波高値が検知素子の感度低下や信号増幅回路の故障によって閾値Ｖｔ１よりも低くなる場合を示している。ここで、通常のホワイトノイズは、図中の破線の波高値によって示されている。この場合も、赤外線センサ部５１は異常と判定され、イベント検知部５２はノイズイベントを検知して、前述の場合と同様のノイズイベント検知信号“５００２”を出力する。
【００５４】
次に、図３（Ｅ）は、赤外線センサ部５１が出力するアナログ信号の波高値が閾値Ｖｔ３よりも高い場合を示す。この場合は、警備対象領域に人が存在するので、その分、その人が発生する赤外線によって波高値が高くなっている。イベント検知部５２は、実施例１の場合と同様に人イベントを検知して、人イベント検知信号“５００１”を出力する。
【００５５】
また、図３（Ｆ）は、赤外線センサ部５１が出力するアナログ信号の波高値が閾値Ｖｔ４（Ｖｔ４＞Ｖｔ３）よりも高くなり、その後、その値がほぼ０になる場合を示す。イベント検知部５２は、このような波高値の変化パターンを検出すると、赤外線センサ部５１の近傍に不審者が接近していると判定し、不審者イベントと検知して、不審者イベント検知信号“５００３”を出力する。“５００３”の上位２桁の“５０”は赤外線センサ５０の機器識別番号を表し、下位２桁の“０３”は不審者イベントの検知を表している。
【００５６】
不審者が赤外線センサ５０の筐体をマスクする場合、不審者は赤外線センサ５０の筐体近傍に接近するため、赤外線センサ部５１によって高い赤外線が検知され、その赤外線の検知信号の波高値は閾値Ｖｔ４を超える。その後、赤外線センサ５０の筐体がマスクされてしまうと、赤外線センサ部５１は赤外線の検出機能を失うので、検知信号の波高値はほぼ０となる。したがって、イベント検知部５２は、図３（Ｆ）に示す検知信号の波高値の変化パターンを検知することによって、不審者イベントを検知する。
【００５７】
このように、本発明の実施例２では、イベント検知部５２が、赤外線センサ部５１が出力するアナログ信号の検知信号を解析するので、検知信号のノイズ成分の増加や赤外線センサ５０のセンサ筐体に対するマスクの有無の情報を取得できる。
【００５８】
なお、本発明の各実施例における、故障検知部からの故障検知信号、及び、イベント検知部からのイベント検知信号の数字コードの一覧は図４に示す。
【図面の簡単な説明】
【００５９】
【図１】第１の実施例の警備システムの構成を示すブロック図である。
【図２】第２の実施例の警備システムの構成を示すブロック図である。
【図３】赤外線センサが出力する検知信号を示す図である。
【図４】数字コードの一覧を示す図である。
【符号の説明】
【００６０】
１１〜１４  …  赤外線センサ
２０，６０  …  警備装置
２１  …  検知信号受付部
２２，５２  …  イベント検知部
２３，６１  …  第一操作部
２４，６２  …  モード設定部
２５，５３  …  故障検知部
２６，５４  …  選択部
２７，６３  …  通報部
２８，６４  …  表示部
３０，７０  …  第二操作部
４０，８０  …  外部警備装置
５１  …  赤外線センサ部
【図１】
2019125059.tif 000003
【図２】
2019125059.tif 000004
【図３】
2019125059.tif 000005
【図４】
2019125059.tif 000006